(57)【要約】【課題】本発明は敷き広げて使用するおもちゃ砂場を開示した。【解決手段】主体を含み、前記主体の中において前後左右の四つの側には広がり板が排列するように設置され、前記広がり板の互いに近接している一端が互いに当接でき、前記主体と前記広がり板との間にはエアクッションが設置され、前記エアクッションの内側が前記主体の四面に固定され、前記エアクッションの外側がそれぞれ前記広がり板のうち中心に近接している一端に固定され、前記主体と前記広がり板との間には伸縮装置が設置され、前記主体の中には貯蔵装置が設置され、前記貯蔵装置の下側には制御装置が設置され、本装置により砂とエアクッションをちゃんと貯蔵でき、自動的に収納することや空気を入れることもでき、本装置を空地に置けば自動的に完成でき、使用が非常に便利である。【選択図】図１
2020179081.tif 000002
【特許請求の範囲】
【請求項１】
主体を含み、前記主体の中において前後左右の四つの側には広がり板が排列するように設置され、前記広がり板の互いに近接している一端が互いに当接でき、前記主体と前記広がり板との間にはエアクッションが設置され、前記エアクッションの内側が前記主体の四面に固定され、前記エアクッションの外側がそれぞれ前記広がり板のうち中心に近接している一端に固定され、前記主体と前記広がり板との間には伸縮装置が設置され、前記主体の中には貯蔵装置が設置され、前記貯蔵装置の下側には制御装置が設置され、前記制御装置が前記伸縮装置の伸縮と前記貯蔵装置の昇降を制御し、同時にエアクッションのチャージングバルブの開閉を制御し、前記伸縮装置が前記広がり板を広げて前記エアクッションを敷き広げることができ、そして前記エアクッションに空気を入れ、また前記貯蔵装置により貯蔵された砂を前記エアクッションに排出し、前記主体の下端面の中には下へ開口したローラチャンバが左右対称的に設置され、前記ローラチャンバの中にはローラが前後対称的に、且つ回転できるように設置され、
前記ローラが前記主体の移動に便利を与え、前記伸縮装置が広がり、そして前記エアクッションに空気を入れ、また前記貯蔵装置が砂を前記エアクッションに移すことを特徴とする敷き広げて使用するおもちゃ砂場。
【請求項２】
前記伸縮装置は前記主体の中に設置されているプーリチャンバを含み、前記プーリチャンバの中において前後左右の四つの側にはプーリが排列するように設置され、前記プーリの間には伝動ベルトが巻きつくように設置され、前記プーリの下端には回転軸が固定的に設置され、前記プーリの下側にはベベルギヤチャンバが設置され、前記回転軸の下端が前記ベベルギヤチャンバの中に伸びており、且つ前記回転軸の下端には主動ベベルギヤが固定的に設置され、前記主動ベベルギヤの一端には前記主動ベベルギヤと噛み合っている従動ベベルギヤが設置され、前記ベベルギヤチャンバの両側には開口の方向が中心から離れている主動スライドチャンバが対称的に設置され、前記主動スライドチャンバの中には前記従動ベベルギヤに固定的に連結されている移動ネジロッドがスライドできるように設置され、前記主動スライドチャンバの中には前記移動ネジロッドにネジ山により連結されている主動スライダがスライドできるように設置され、前記主動スライダのうち中心から離れている一端には一組のヒンジロッドがヒンジにより連結され、第一組の前記ヒンジロッドのうち中心から離れている側には第二組の前記ヒンジロッドがヒンジにより連結され、前記ヒンジロッドが交わるところには回転ロッドが回転できるように連結され、前記ヒンジロッドの上端が前記エアクッションの下端に固定的に連結され、前記広がり板の中には従動スライドチャンバが設置され、前記従動スライドチャンバの中には従動スライダが対称的に、且つスライドできるように設置され、前記従動スライダのうち中心に近接している一端には固定ロッドが固定的に設置され、第二組の前記ヒンジロッドのうち中心から離れている一端が前記固定ロッドにヒンジにより連結され、
前記ヒンジロッドが広がって前記広がり板と前記回転ロッドとを連動させて前記エアクッションを敷き広げることを特徴とする請求項１に記載の敷き広げて使用するおもちゃ砂場。
【請求項３】
前記貯蔵装置は、前記主体の中に設置され、且つ上へ開口した貯蔵チャンバを含み、前記貯蔵チャンバの中には昇降板がスライドできるように設置され、前記昇降板の上端面の中間には支持ロッドが固定的に設置され、前記支持ロッドの上端にはカバー板が固定的に設置され、前記貯蔵チャンバの四壁の中には加温ブロックが固定的に設置され、前記支持ロッドの中にはネジ山チャンバが設置され、前記ネジ山チャンバの中には昇降ネジロッドがネジ山により連結され、前記貯蔵チャンバの下側にはスパーギヤチャンバが設置され、前記昇降ネジロッドの下端が前記スパーギヤチャンバの中に伸びており、且つ前記昇降ネジロッドの下端には左スパーギヤが固定的に連結され、
前記昇降板が砂を上昇連動させて流出させ、前記加温ブロックが砂を高温で消毒することを特徴とする請求項１に記載の敷き広げて使用するおもちゃ砂場。
【請求項４】
前記制御装置は前記スパーギヤチャンバの下側に設置されている制御チャンバを含み、前記制御チャンバの上壁の中には制御モータが固定的に設置され、前記制御モータの下端には制御ネジロッドが伝動できるように連結され、前記制御チャンバの中には前記制御ネジロッドにネジ山により連結されている制御ロッドがスライドできるように設置され、前記制御チャンバの右側には前記制御チャンバの右側に連通している噛み合いチャンバが連通するように設置され、前記制御ロッドの右端が前記噛み合いチャンバの中に伸びており、且つ前記制御ロッドの右端には動力モータが固定的に設置され、前記動力モータの上端には主動スパーギヤが伝動できるように連結され、前記主動スパーギヤの右端には右側の前記プーリに伝動できるように連結されている右スパーギヤが噛み合って設置され、前記制御チャンバの左側にはコンロッドチャンバが連通するように設置され、前記制御ロッドの左端には前記コンロッドチャンバにスライドできるように連結されているコンロッドが固定的に設置され、前記コンロッドチャンバの左側にはバルブチャンバが連通するように設置され、前記バルブチャンバの中にはバルブ板がスライドできるように設置され、前記バルブ板の中には抜き孔が左右対称的に設置され、前記バルブチャンバの左右壁には前記エアクッションの中に連通している通路が連通するように設置され、前記通路の右壁の中にはエアポンプが設置され、
前記制御モータは前記動力モータに動力を前記右スパーギヤまたは前記左スパーギヤに提供させ、また前記バルブ板の昇降を制御して前記通路を開閉することを特徴とする請求項１に記載の敷き広げて使用するおもちゃ砂場。
【発明の詳細な説明】
【技術分野】
【０００１】
本発明は玩具技術分野を取り上げて、具体的には敷き広げて使用するおもちゃ砂場である。
【背景技術】
【０００２】
多くの子供が砂遊びが好きで、砂が子供の実行能力を鍛えることができ、しかし、砂の中に細菌が多いので、野外の砂を遊ぶことができなく、遊園地に砂遊びをする場所があり、例えば砂が敷かれた大きいエアクッション等、しかし、エアクッションと砂を収納する時に人工で操作しなければならなく、しかも砂が長時間使用された後で砂に多い細菌が繁殖し、そのため、敷き広げて使用するおもちゃ砂場が必要となり、本装置は砂を貯蔵でき、使用しない時に高温で消毒し、使用する時にエアクッションを自動的に収納でき、とても便利である。
【先行技術文献】
【特許文献】
【０００３】
【特許文献１】中国特許出願公開第108096853号明細書
【発明の概要】
【発明が解決しようとする課題】
【０００４】
本発明は敷き広げて使用するおもちゃ砂場を提供し、従来技術における上記欠点を解消することを目的とする。
【課題を解決するための手段】
【０００５】
本発明の実施例の敷き広げて使用するおもちゃ砂場は、主体を含み、前記主体の中において前後左右の四つの側には広がり板が排列するように設置され、前記広がり板の互いに近接している一端が互いに当接でき、前記主体と前記広がり板との間にはエアクッションが設置され、前記エアクッションの内側が前記主体の四面に固定され、前記エアクッションの外側がそれぞれ前記広がり板のうち中心に近接している一端に固定され、前記主体と前記広がり板との間には伸縮装置が設置され、前記主体の中には貯蔵装置が設置され、前記貯蔵装置の下側には制御装置が設置され、前記制御装置が前記伸縮装置の伸縮と前記貯蔵装置の昇降を制御し、同時にエアクッションのチャージングバルブの開閉を制御し、前記伸縮装置が前記広がり板を広げて前記エアクッションを敷き広げることができ、そして前記エアクッションに空気を入れ、また前記貯蔵装置により貯蔵された砂を前記エアクッションに排出し、前記主体の下端面の中には下へ開口したローラチャンバが左右対称的に設置され、前記ローラチャンバの中にはローラが前後対称的に、且つ回転できるように設置され、
前記ローラが前記主体の移動に便利を与え、前記伸縮装置が広がり、そして前記エアクッションに空気を入れ、また前記貯蔵装置が砂を前記エアクッションに移す。
【０００６】
更の技術プランとしては、前記伸縮装置は前記主体の中に設置されているプーリチャンバを含み、前記プーリチャンバの中において前後左右の四つの側にはプーリが排列するように設置され、前記プーリの間には伝動ベルトが巻きつくように設置され、前記プーリの下端には回転軸が固定的に設置され、前記プーリの下側にはベベルギヤチャンバが設置され、前記回転軸の下端が前記ベベルギヤチャンバの中に伸びており、且つ前記回転軸の下端には主動ベベルギヤが固定的に設置され、前記主動ベベルギヤの一端には前記主動ベベルギヤと噛み合っている従動ベベルギヤが設置され、前記ベベルギヤチャンバの両側には開口の方向が中心から離れている主動スライドチャンバが対称的に設置され、前記主動スライドチャンバの中には前記従動ベベルギヤに固定的に連結されている移動ネジロッドがスライドできるように設置され、前記主動スライドチャンバの中には前記移動ネジロッドにネジ山により連結されている主動スライダがスライドできるように設置され、前記主動スライダのうち中心から離れている一端には一組のヒンジロッドがヒンジにより連結され、第一組の前記ヒンジロッドのうち中心から離れている側には第二組の前記ヒンジロッドがヒンジにより連結され、前記ヒンジロッドが交わるところには回転ロッドが回転できるように連結され、前記ヒンジロッドの上端が前記エアクッションの下端に固定的に連結され、前記広がり板の中には従動スライドチャンバが設置され、前記従動スライドチャンバの中には従動スライダが対称的に、且つスライドできるように設置され、前記従動スライダのうち中心に近接している一端には固定ロッドが固定的に設置され、第二組の前記ヒンジロッドのうち中心から離れている一端が前記固定ロッドにヒンジにより連結され、
前記ヒンジロッドが広がって前記広がり板と前記回転ロッドとを連動させて前記エアクッションを敷き広げる。
【０００７】
更の技術プランとしては、前記貯蔵装置は、前記主体の中に設置され、且つ上へ開口した貯蔵チャンバを含み、前記貯蔵チャンバの中には昇降板がスライドできるように設置され、前記昇降板の上端面の中間には支持ロッドが固定的に設置され、前記支持ロッドの上端にはカバー板が固定的に設置され、前記貯蔵チャンバの四壁の中には加温ブロックが固定的に設置され、前記支持ロッドの中にはネジ山チャンバが設置され、前記ネジ山チャンバの中には昇降ネジロッドがネジ山により連結され、前記貯蔵チャンバの下側にはスパーギヤチャンバが設置され、前記昇降ネジロッドの下端が前記スパーギヤチャンバの中に伸びており、且つ前記昇降ネジロッドの下端には左スパーギヤが固定的に連結され、
前記昇降板が砂を上昇連動させて流出させ、前記加温ブロックが砂を高温で消毒する。
【０００８】
更の技術プランとしては、前記制御装置は前記スパーギヤチャンバの下側に設置されている制御チャンバを含み、前記制御チャンバの上壁の中には制御モータが固定的に設置され、前記制御モータの下端には制御ネジロッドが伝動できるように連結され、前記制御チャンバの中には前記制御ネジロッドにネジ山により連結されている制御ロッドがスライドできるように設置され、前記制御チャンバの右側には前記制御チャンバの右側に連通している噛み合いチャンバが連通するように設置され、前記制御ロッドの右端が前記噛み合いチャンバの中に伸びており、且つ前記制御ロッドの右端には動力モータが固定的に設置され、前記動力モータの上端には主動スパーギヤが伝動できるように連結され、前記主動スパーギヤの右端には右側の前記プーリに伝動できるように連結されている右スパーギヤが噛み合って設置され、前記制御チャンバの左側にはコンロッドチャンバが連通するように設置され、前記制御ロッドの左端には前記コンロッドチャンバにスライドできるように連結されているコンロッドが固定的に設置され、前記コンロッドチャンバの左側にはバルブチャンバが連通するように設置され、前記バルブチャンバの中にはバルブ板がスライドできるように設置され、前記バルブ板の中には抜き孔が左右対称的に設置され、前記バルブチャンバの左右壁には前記エアクッションの中に連通している通路が連通するように設置され、前記通路の右壁の中にはエアポンプが設置され、
前記制御モータは前記動力モータに動力を前記右スパーギヤまたは前記左スパーギヤに提供させ、また前記バルブ板の昇降を制御して前記通路を開閉する。
【発明の効果】
【０００９】
本発明の有益効果は：本発明は構成が簡単で、操作が便利で、本装置により砂とエアクッションをちゃんと貯蔵でき、自動的に収納することや空気を入れることもでき、本装置を空地に置けば自動的に完成でき、使用が非常に便利である。
【図面の簡単な説明】
【００１０】
【図１】図１は本発明の敷き広げて使用するおもちゃ砂場の内部全体構成模式図
【図２】図２は図１の中の「Ａ−Ａ」方向の構成模式図
【図３】図３は図１の中の「Ｂ−Ｂ」方向の構成模式図
【図４】図４は図１の中の「Ｃ」の拡大模式図
【発明を実施するための形態】
【００１１】
以下に図１〜４を交えて本発明について詳しく説明する。便利に叙述するために、後文に出る方位を下記の通りに規定する：後文に出る上下左右前後方向は図１本体の投影関係の上下左右前後方向と一致する。
【００１２】
図１〜４を参照し、本発明の実施例の敷き広げて使用するおもちゃ砂場は、主体１１を含み、前記主体１１の中において前後左右の四つの側には広がり板１２が排列するように設置され、前記広がり板１２の互いに近接している一端が互いに当接でき、前記主体１１と前記広がり板１２との間にはエアクッション１３が設置され、前記エアクッション１３の内側が前記主体１１の四面に固定され、前記エアクッション１３の外側がそれぞれ前記広がり板１２のうち中心に近接している一端に固定され、前記主体１１と前記広がり板１２との間には伸縮装置１０１が設置され、前記主体１１の中には貯蔵装置１０２が設置され、前記貯蔵装置１０２の下側には制御装置１０３が設置され、前記制御装置１０３が前記伸縮装置１０１の伸縮と前記貯蔵装置１０２の昇降を制御し、同時にエアクッションのチャージングバルブの開閉を制御し、前記伸縮装置１０１が前記広がり板１２を広げて前記エアクッション１３を敷き広げることができ、そして前記エアクッション１３に空気を入れ、また前記貯蔵装置１０２により貯蔵された砂を前記エアクッション１３に排出し、前記主体１１の下端面の中には下へ開口したローラチャンバ６０が左右対称的に設置され、前記ローラチャンバ６０の中にはローラ１４が前後対称的に、且つ回転できるように設置され、
前記ローラ１４が前記主体１１の移動に便利を与え、前記伸縮装置１０１が広がり、そして前記エアクッション１３に空気を入れ、また前記貯蔵装置１０２が砂を前記エアクッション１３に移す。
【００１３】
有益的には、前記伸縮装置１０１は前記主体１１の中に設置されているプーリチャンバ１５を含み、前記プーリチャンバ１５の中において前後左右の四つの側にはプーリ１６が排列するように設置され、前記プーリ１６の間には伝動ベルト１７が巻きつくように設置され、前記プーリ１６の下端には回転軸１８が固定的に設置され、前記プーリ１６の下側にはベベルギヤチャンバ１９が設置され、前記回転軸１８の下端が前記ベベルギヤチャンバ１９の中に伸びており、且つ前記回転軸１８の下端には主動ベベルギヤ２０が固定的に設置され、前記主動ベベルギヤ２０の一端には前記主動ベベルギヤ２０と噛み合っている従動ベベルギヤ２１が設置され、前記ベベルギヤチャンバ１９の両側には開口の方向が中心から離れている主動スライドチャンバ２２が対称的に設置され、前記主動スライドチャンバ２２の中には前記従動ベベルギヤ２１に固定的に連結されている移動ネジロッド２３がスライドできるように設置され、前記主動スライドチャンバ２２の中には前記移動ネジロッド２３にネジ山により連結されている主動スライダ２４がスライドできるように設置され、前記主動スライダ２４のうち中心から離れている一端には一組のヒンジロッド２５がヒンジにより連結され、第一組の前記ヒンジロッド２５のうち中心から離れている側には第二組の前記ヒンジロッド２５がヒンジにより連結され、前記ヒンジロッド２５が交わるところには回転ロッド２６が回転できるように連結され、前記ヒンジロッド２５の上端が前記エアクッション１３の下端に固定的に連結され、前記広がり板１２の中には従動スライドチャンバ２７が設置され、前記従動スライドチャンバ２７の中には従動スライダ２８が対称的に、且つスライドできるように設置され、前記従動スライダ２８のうち中心に近接している一端には固定ロッド２９が固定的に設置され、第二組の前記ヒンジロッド２５のうち中心から離れている一端が前記固定ロッド２９にヒンジにより連結され、
前記ヒンジロッド２５が広がって前記広がり板１２と前記回転ロッド２６とを連動させて前記エアクッション１３を敷き広げる。
【００１４】
有益的には、前記貯蔵装置１０２は、前記主体１１の中に設置され、且つ上へ開口した貯蔵チャンバ３０を含み、前記貯蔵チャンバ３０の中には昇降板３１がスライドできるように設置され、前記昇降板３１の上端面の中間には支持ロッド３２が固定的に設置され、前記支持ロッド３２の上端にはカバー板３３が固定的に設置され、前記貯蔵チャンバ３０の四壁の中には加温ブロック３４が固定的に設置され、前記支持ロッド３２の中にはネジ山チャンバ３５が設置され、前記ネジ山チャンバ３５の中には昇降ネジロッド３６がネジ山により連結され、前記貯蔵チャンバ３０の下側にはスパーギヤチャンバ３７が設置され、前記昇降ネジロッド３６の下端が前記スパーギヤチャンバ３７の中に伸びており、且つ前記昇降ネジロッド３６の下端には左スパーギヤ３８が固定的に連結され、
前記昇降板３１が砂を上昇連動させて流出させ、前記加温ブロック３４が砂を高温で消毒する。
【００１５】
有益的には、前記制御装置１０３は前記スパーギヤチャンバ３７の下側に設置されている制御チャンバ３９を含み、前記制御チャンバ３９の上壁の中には制御モータ４０が固定的に設置され、前記制御モータ４０の下端には制御ネジロッド４１が伝動できるように連結され、前記制御チャンバ３９の中には前記制御ネジロッド４１にネジ山により連結されている制御ロッド４２がスライドできるように設置され、前記制御チャンバ３９の右側には前記制御チャンバ３９の右側に連通している噛み合いチャンバ４３が連通するように設置され、前記制御ロッド４２の右端が前記噛み合いチャンバ４３の中に伸びており、且つ前記制御ロッド４２の右端には動力モータ４４が固定的に設置され、前記動力モータ４４の上端には主動スパーギヤ４５が伝動できるように連結され、前記主動スパーギヤ４５の右端には右側の前記プーリ１６に伝動できるように連結されている右スパーギヤ４６が噛み合って設置され、前記制御チャンバ３９の左側にはコンロッドチャンバ４７が連通するように設置され、前記制御ロッド４２の左端には前記コンロッドチャンバ４７にスライドできるように連結されているコンロッド４８が固定的に設置され、前記コンロッドチャンバ４７の左側にはバルブチャンバ４９が連通するように設置され、前記バルブチャンバ４９の中にはバルブ板５０がスライドできるように設置され、前記バルブ板５０の中には抜き孔５１が左右対称的に設置され、前記バルブチャンバ４９の左右壁には前記エアクッション１３の中に連通している通路５２が連通するように設置され、前記通路５２の右壁の中にはエアポンプ５３が設置され、
前記制御モータ４０は前記動力モータ４４に動力を前記右スパーギヤ４６または前記左スパーギヤ３８に提供させ、また前記バルブ板５０の昇降を制御して前記通路５２を開閉する。
【００１６】
初期状態において、広がり板１２が主体１１に最大限度で近づき、昇降板３１が下限位置に位置しており、砂が昇降板３１の上方に貯蔵され、制御ロッド４２が下限位置に位置しており、この時、主動スパーギヤ４５が右スパーギヤ４６と噛み合っており、バルブ板５０がバルブチャンバ４９を閉鎖している。
【００１７】
使用する時、本装置を空地に移動させ、動力モータ４４が起動されて主動スパーギヤ４５を連動させて回転させ、ギヤの噛み合いにより右スパーギヤ４６を連動させて回転させ、また右側のプーリ１６を連動させて回転させ、伝動ベルト１７により四つの側のプーリ１６を連動させて同期に回転させ、回転軸１８により主動ベベルギヤ２０を連動させて回転させ、ギヤの噛み合いにより従動ベベルギヤ２１を連動させて回転させ、また移動ネジロッド２３を連動させて回転させ、ネジ山による連結を通じて主動スライダ２４を連動させて互いに近づかせ、ヒンジロッド２５により広がり板１２と回転ロッド２６とを連動させて中心から離れ、またエアクッション１３を連動させて広げ、制御モータ４０を制御して起動し、これにより制御ネジロッド４１を連動させて回転させ、ネジ山による連結を通じて制御ロッド４２を連動させて中間位置まで上昇させ、またコンロッド４８によりバルブ板５０を連動させて抜き孔５１が通路５２と連通するまで上昇させ、この時、エアポンプ５３が起動されてエアクッション１３に空気を入れ、制御モータ４０が継続して起動されて制御ロッド４２を連動させて主動スパーギヤ４５が制御チャンバ３９と噛み合うまで上昇させ、この時、バルブ板５０が上昇して通路５２を閉鎖し、動力モータ４４が起動されて左スパーギヤ３８と昇降ネジロッド３６とを連動させて回転させ、ネジ山による連結を通じて支持ロッド３２を連動させて上昇させ、また昇降板３１とカバー板３３とを連動させて上昇させ、これにより砂が貯蔵チャンバ３０の開口からエアクッション１３に流れ、これにより子供が砂遊びをすることができ、そしてカバー板３３が初期位置まで下降する。
【００１８】
本発明の有益効果は：本発明は構成が簡単で、操作が便利で、本装置により砂とエアクッションをちゃんと貯蔵でき、自動的に収納することや空気を入れることもでき、本装置を空地に置けば自動的に完成でき、使用が非常に便利である。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020179081.tif 000003
【図２】
2020179081.tif 000004
【図３】
2020179081.tif 000005
【図４】
2020179081.tif 000006
【手続補正書】
【提出日】令和1年7月4日(2019.7.4)
【手続補正１】
【補正対象書類名】特許請求の範囲
【補正対象項目名】全文
【補正方法】変更
【補正の内容】
【特許請求の範囲】
【請求項１】
主体を含み、前記主体の中において前後左右の四つの側には広がり板が排列するように設置され、前記広がり板の互いに近接している一端が互いに当接でき、前記主体と前記広がり板との間にはエアクッションが設置され、前記エアクッションの内側が前記主体の四面に固定され、前記エアクッションの外側がそれぞれ前記広がり板のうち左右方向の中心に近接している一端に固定され、前記主体と前記広がり板との間には伸縮装置が設置され、前記主体の中には貯蔵装置が設置され、前記貯蔵装置の下側には制御装置が設置され、前記主体の下端面の中には下方に開口したローラチャンバが二つ設置され、二つの前記ローラチャンバが左右に対称しており、前記ローラチャンバの中にはローラが前後対称的に、且つ回転できるように設置されることを特徴とする敷き広げて使用するおもちゃ砂場。
【請求項２】
前記伸縮装置は前記主体の中に設置されているプーリチャンバを含み、前記プーリチャンバの中において前後左右の四つの側にはプーリが排列するように設置され、前記プーリの間には伝動ベルトが巻きつくように設置され、前記プーリの下端には回転軸が固定的に設置され、前記プーリの下側にはベベルギヤチャンバが設置され、前記回転軸の下端が前記ベベルギヤチャンバの中に伸びており、且つ前記回転軸の下端には主動ベベルギヤが固定的に設置され、前記主動ベベルギヤの一端には前記主動ベベルギヤと噛み合っている従動ベベルギヤが設置され、前記ベベルギヤチャンバの両側には開口の方向が左右方向の中心から離れている主動スライドチャンバが対称的に設置され、前記主動スライドチャンバの中には前記従動ベベルギヤに固定的に連結されている移動ネジロッドがスライド自在に設置され、前記主動スライドチャンバの中には前記移動ネジロッドにネジ山により連結されている主動スライダがスライド自在に設置され、前記主動スライダにおいて左右方向の中心から離れている一端には一個のヒンジロッドがヒンジにより連結され、前記ヒンジロッドにおいて前記主動スライダから離れている一端にはまた一個のヒンジロッドがヒンジにより連結され、前記ヒンジロッドが交わるところには回転ロッドが回転できるように連結され、前記ヒンジロッドの上端が前記エアクッションの下端に固定的に連結され、前記広がり板の中には従動スライドチャンバが設置され、前記従動スライドチャンバの中には二つの従動スライダがスライド自在に設置され、二つの前記従動スライダの間が互いに対称しており、前記従動スライダのうち左右方向の中心に近接している一端には固定ロッドが固定的に設置され、第二組の前記ヒンジロッドのうち左右方向の中心から離れている一端が前記固定ロッドにヒンジにより連結され、
前記ヒンジロッドが広がって前記広がり板と前記回転ロッドとを連動させて前記エアクッションを敷き広げることを特徴とする請求項１に記載の敷き広げて使用するおもちゃ砂場。
【請求項３】
前記貯蔵装置は、前記主体の中に設置され、且つ上へ開口した貯蔵チャンバを含み、前記貯蔵チャンバの中には昇降板がスライド自在に設置され、前記昇降板の上端面の中間には支持ロッドが固定的に設置され、前記支持ロッドの上端にはカバー板が固定的に設置され、前記貯蔵チャンバの四壁の中には加温ブロックが固定的に設置され、前記支持ロッドの中にはネジ山チャンバが設置され、前記ネジ山チャンバの中には昇降ネジロッドがネジ山により連結され、前記貯蔵チャンバの下側にはスパーギヤチャンバが設置され、前記昇降ネジロッドの下端が前記スパーギヤチャンバの中に伸びており、且つ前記昇降ネジロッドの下端には左スパーギヤが固定的に連結され、
前記昇降板が砂を上昇連動させて流出させ、前記加温ブロックが砂を高温で消毒することを特徴とする請求項１に記載の敷き広げて使用するおもちゃ砂場。
【請求項４】
前記制御装置は前記スパーギヤチャンバの下側に設置されている制御チャンバを含み、前記制御チャンバの上壁の中には制御モータが固定的に設置され、前記制御モータの下端には制御ネジロッドが伝動できるように連結され、前記制御チャンバの中には前記制御ネジロッドにネジ山により連結されている制御ロッドがスライド自在に設置され、前記制御チャンバの右側には前記制御チャンバの右側に連通している噛み合いチャンバが連通するように設置され、前記制御ロッドの右端が前記噛み合いチャンバの中に伸びており、且つ前記制御ロッドの右端には動力モータが固定的に設置され、前記動力モータの上端には主動スパーギヤが伝動できるように連結され、前記主動スパーギヤの右端には右側の前記プーリに伝動できるように連結されている右スパーギヤが噛み合って設置され、前記制御チャンバの左側にはコンロッドチャンバが連通するように設置され、前記制御ロッドの左端には前記コンロッドチャンバにスライドできるように連結されているコンロッドが固定的に設置され、前記コンロッドチャンバの左側にはバルブチャンバが連通するように設置され、前記バルブチャンバの中にはバルブ板がスライド自在に設置され、前記バルブ板の中には抜き孔が左右対称的に設置され、前記バルブチャンバの左右壁には前記エアクッションの中に連通している通路が連通するように設置され、前記通路の右壁の中にはエアポンプが設置されることを特徴とする請求項１に記載の敷き広げて使用するおもちゃ砂場。
【手続補正２】
【補正対象書類名】明細書
【補正対象項目名】全文
【補正方法】変更
【補正の内容】
【発明の詳細な説明】
【技術分野】
【０００１】
本発明は玩具技術分野を取り上げて、具体的には敷き広げて使用するおもちゃ砂場である。
【背景技術】
【０００２】
多くの子供が砂遊びが好きで、砂が子供の実行能力を鍛えることができ、しかし、砂の中に細菌が多いので、野外の砂を遊ぶことができなく、遊園地に砂遊びをする場所があり、例えば砂が敷かれた大きいエアクッション等、しかし、エアクッションと砂を収納する時に人工で操作しなければならなく、しかも砂が長時間使用された後で砂に多い細菌が繁殖し、そのため、敷き広げて使用するおもちゃ砂場が必要となり、本装置は砂を貯蔵でき、使用しない時に高温で消毒し、使用する時にエアクッションを自動的に収納でき、とても便利である。
【先行技術文献】
【特許文献】
【０００３】
【特許文献１】中国特許出願公開第１０８０９６８５３号明細書
【発明の概要】
【発明が解決しようとする課題】
【０００４】
本発明は敷き広げて使用するおもちゃ砂場を提供し、従来技術における上記欠点を解消することを目的とする。
【課題を解決するための手段】
【０００５】
本発明の実施例の敷き広げて使用するおもちゃ砂場は、主体を含み、前記主体の中において前後左右の四つの側には広がり板が排列するように設置され、前記広がり板の互いに近接している一端が互いに当接でき、前記主体と前記広がり板との間にはエアクッションが設置され、前記エアクッションの内側が前記主体の四面に固定され、前記エアクッションの外側がそれぞれ前記広がり板のうち左右方向の中心に近接している一端に固定され、前記主体と前記広がり板との間には伸縮装置が設置され、前記主体の中には貯蔵装置が設置され、前記貯蔵装置の下側には制御装置が設置され、前記主体の下端面の中には下方に開口したローラチャンバが二つ設置され、二つの前記ローラチャンバが左右に対称しており、前記ローラチャンバの中にはローラが前後対称的に、且つ回転できるように設置される。
【０００６】
更の技術プランとしては、前記伸縮装置は前記主体の中に設置されているプーリチャンバを含み、前記プーリチャンバの中において前後左右の四つの側にはプーリが排列するように設置され、前記プーリの間には伝動ベルトが巻きつくように設置され、前記プーリの下端には回転軸が固定的に設置され、前記プーリの下側にはベベルギヤチャンバが設置され、前記回転軸の下端が前記ベベルギヤチャンバの中に伸びており、且つ前記回転軸の下端には主動ベベルギヤが固定的に設置され、前記主動ベベルギヤの一端には前記主動ベベルギヤと噛み合っている従動ベベルギヤが設置され、前記ベベルギヤチャンバの両側には開口の方向が左右方向の中心から離れている主動スライドチャンバが対称的に設置され、前記主動スライドチャンバの中には前記従動ベベルギヤに固定的に連結されている移動ネジロッドがスライド自在に設置され、前記主動スライドチャンバの中には前記移動ネジロッドにネジ山により連結されている主動スライダがスライド自在に設置され、前記主動スライダにおいて左右方向の中心から離れている一端には一個のヒンジロッドがヒンジにより連結され、前記ヒンジロッドにおいて前記主動スライダから離れている一端にはまた一個のヒンジロッドがヒンジにより連結され、前記ヒンジロッドが交わるところには回転ロッドが回転できるように連結され、前記ヒンジロッドの上端が前記エアクッションの下端に固定的に連結され、前記広がり板の中には従動スライドチャンバが設置され、前記従動スライドチャンバの中には二つの従動スライダがスライド自在に設置され、二つの前記従動スライダの間が互いに対称しており、前記従動スライダのうち左右方向の中心に近接している一端には固定ロッドが固定的に設置され、第二組の前記ヒンジロッドのうち左右方向の中心から離れている一端が前記固定ロッドにヒンジにより連結され、
前記ヒンジロッドが広がって前記広がり板と前記回転ロッドとを連動させて前記エアクッションを敷き広げる。
【０００７】
更の技術プランとしては、前記貯蔵装置は、前記主体の中に設置され、且つ上へ開口した貯蔵チャンバを含み、前記貯蔵チャンバの中には昇降板がスライド自在に設置され、前記昇降板の上端面の中間には支持ロッドが固定的に設置され、前記支持ロッドの上端にはカバー板が固定的に設置され、前記貯蔵チャンバの四壁の中には加温ブロックが固定的に設置され、前記支持ロッドの中にはネジ山チャンバが設置され、前記ネジ山チャンバの中には昇降ネジロッドがネジ山により連結され、前記貯蔵チャンバの下側にはスパーギヤチャンバが設置され、前記昇降ネジロッドの下端が前記スパーギヤチャンバの中に伸びており、且つ前記昇降ネジロッドの下端には左スパーギヤが固定的に連結され、
前記昇降板が砂を上昇連動させて流出させ、前記加温ブロックが砂を高温で消毒する。
【０００８】
更の技術プランとしては、前記制御装置は前記スパーギヤチャンバの下側に設置されている制御チャンバを含み、前記制御チャンバの上壁の中には制御モータが固定的に設置され、前記制御モータの下端には制御ネジロッドが伝動できるように連結され、前記制御チャンバの中には前記制御ネジロッドにネジ山により連結されている制御ロッドがスライド自在に設置され、前記制御チャンバの右側には前記制御チャンバの右側に連通している噛み合いチャンバが連通するように設置され、前記制御ロッドの右端が前記噛み合いチャンバの中に伸びており、且つ前記制御ロッドの右端には動力モータが固定的に設置され、前記動力モータの上端には主動スパーギヤが伝動できるように連結され、前記主動スパーギヤの右端には右側の前記プーリに伝動できるように連結されている右スパーギヤが噛み合って設置され、前記制御チャンバの左側にはコンロッドチャンバが連通するように設置され、前記制御ロッドの左端には前記コンロッドチャンバにスライドできるように連結されているコンロッドが固定的に設置され、前記コンロッドチャンバの左側にはバルブチャンバが連通するように設置され、前記バルブチャンバの中にはバルブ板がスライド自在に設置され、前記バルブ板の中には抜き孔が左右対称的に設置され、前記バルブチャンバの左右壁には前記エアクッションの中に連通している通路が連通するように設置され、前記通路の右壁の中にはエアポンプが設置される。
【発明の効果】
【０００９】
本発明の有益効果は：本発明は構成が簡単で、操作が便利で、本装置により砂とエアクッションをちゃんと貯蔵でき、自動的に収納することや空気を入れることもでき、本装置を空地に置けば自動的に完成でき、使用が非常に便利である。
【図面の簡単な説明】
【００１０】
【図１】図１は本発明の敷き広げて使用するおもちゃ砂場の内部全体構成模式図
【図２】図２は図１の中の「Ａ−Ａ」方向の構成模式図
【図３】図３は図１の中の「Ｂ−Ｂ」方向の構成模式図
【図４】図４は図１の中の「Ｃ」の拡大模式図
【発明を実施するための形態】
【００１１】
以下に図１〜４を交えて本発明について詳しく説明する。便利に叙述するために、後文に出る方位を下記の通りに規定する：後文に出る上下左右前後方向は図１本体の投影関係の上下左右前後方向と一致する。
【００１２】
図１〜４を参照し、本発明の実施例の敷き広げて使用するおもちゃ砂場は、主体１１を含み、前記主体１１の中において前後左右の四つの側には広がり板１２が排列するように設置され、前記広がり板１２の互いに近接している一端が互いに当接でき、前記主体１１と前記広がり板１２との間にはエアクッション１３が設置され、前記エアクッション１３の内側が前記主体１１の四面に固定され、前記エアクッション１３の外側がそれぞれ前記広がり板１２のうち左右方向の中心に近接している一端に固定され、前記主体１１と前記広がり板１２との間には伸縮装置１０１が設置され、前記主体１１の中には貯蔵装置１０２が設置され、前記貯蔵装置１０２の下側には制御装置１０３が設置され、前記主体１１の下端面の中には下方に開口したローラチャンバ６０が二つ設置され、二つの前記ローラチャンバ６０が左右に対称しており、前記ローラチャンバ６０の中にはローラ１４が前後対称的に、且つ回転できるように設置される。
【００１３】
有益的には、前記伸縮装置１０１は前記主体１１の中に設置されているプーリチャンバ１５を含み、前記プーリチャンバ１５の中において前後左右の四つの側にはプーリ１６が排列するように設置され、前記プーリ１６の間には伝動ベルト１７が巻きつくように設置され、前記プーリ１６の下端には回転軸１８が固定的に設置され、前記プーリ１６の下側にはベベルギヤチャンバ１９が設置され、前記回転軸１８の下端が前記ベベルギヤチャンバ１９の中に伸びており、且つ前記回転軸１８の下端には主動ベベルギヤ２０が固定的に設置され、前記主動ベベルギヤ２０の一端には前記主動ベベルギヤ２０と噛み合っている従動ベベルギヤ２１が設置され、前記ベベルギヤチャンバ１９の両側には開口の方向が左右方向の中心から離れている主動スライドチャンバ２２が対称的に設置され、前記主動スライドチャンバ２２の中には前記従動ベベルギヤ２１に固定的に連結されている移動ネジロッド２３がスライド自在に設置され、前記主動スライドチャンバ２２の中には前記移動ネジロッド２３にネジ山により連結されている主動スライダ２４がスライド自在に設置され、前記主動スライダ２４において左右方向の中心から離れている一端には一個のヒンジロッド２５がヒンジにより連結され、前記ヒンジロッド２５において前記主動スライダ２４から離れている一端にはまた一個のヒンジロッド２５がヒンジにより連結され、前記ヒンジロッド２５が交わるところには回転ロッド２６が回転できるように連結され、前記ヒンジロッド２５の上端が前記エアクッション１３の下端に固定的に連結され、前記広がり板１２の中には従動スライドチャンバ２７が設置され、前記従動スライドチャンバ２７の中には二つの従動スライダ２８がスライド自在に設置され、二つの前記従動スライダ２８の間が互いに対称しており、前記従動スライダ２８のうち左右方向の中心に近接している一端には固定ロッド２９が固定的に設置され、第二組の前記ヒンジロッド２５のうち左右方向の中心から離れている一端が前記固定ロッド２９にヒンジにより連結され、
前記ヒンジロッド２５が広がって前記広がり板１２と前記回転ロッド２６とを連動させて前記エアクッション１３を敷き広げる。
【００１４】
有益的には、前記貯蔵装置１０２は、前記主体１１の中に設置され、且つ上へ開口した貯蔵チャンバ３０を含み、前記貯蔵チャンバ３０の中には昇降板３１がスライド自在に設置され、前記昇降板３１の上端面の中間には支持ロッド３２が固定的に設置され、前記支持ロッド３２の上端にはカバー板３３が固定的に設置され、前記貯蔵チャンバ３０の四壁の中には加温ブロック３４が固定的に設置され、前記支持ロッド３２の中にはネジ山チャンバ３５が設置され、前記ネジ山チャンバ３５の中には昇降ネジロッド３６がネジ山により連結され、前記貯蔵チャンバ３０の下側にはスパーギヤチャンバ３７が設置され、前記昇降ネジロッド３６の下端が前記スパーギヤチャンバ３７の中に伸びており、且つ前記昇降ネジロッド３６の下端には左スパーギヤ３８が固定的に連結され、
前記昇降板３１が砂を上昇連動させて流出させ、前記加温ブロック３４が砂を高温で消毒する。
【００１５】
有益的には、前記制御装置１０３は前記スパーギヤチャンバ３７の下側に設置されている制御チャンバ３９を含み、前記制御チャンバ３９の上壁の中には制御モータ４０が固定的に設置され、前記制御モータ４０の下端には制御ネジロッド４１が伝動できるように連結され、前記制御チャンバ３９の中には前記制御ネジロッド４１にネジ山により連結されている制御ロッド４２がスライド自在に設置され、前記制御チャンバ３９の右側には前記制御チャンバ３９の右側に連通している噛み合いチャンバ４３が連通するように設置され、前記制御ロッド４２の右端が前記噛み合いチャンバ４３の中に伸びており、且つ前記制御ロッド４２の右端には動力モータ４４が固定的に設置され、前記動力モータ４４の上端には主動スパーギヤ４５が伝動できるように連結され、前記主動スパーギヤ４５の右端には右側の前記プーリ１６に伝動できるように連結されている右スパーギヤ４６が噛み合って設置され、前記制御チャンバ３９の左側にはコンロッドチャンバ４７が連通するように設置され、前記制御ロッド４２の左端には前記コンロッドチャンバ４７にスライドできるように連結されているコンロッド４８が固定的に設置され、前記コンロッドチャンバ４７の左側にはバルブチャンバ４９が連通するように設置され、前記バルブチャンバ４９の中にはバルブ板５０がスライド自在に設置され、前記バルブ板５０の中には抜き孔５１が左右対称的に設置され、前記バルブチャンバ４９の左右壁には前記エアクッション１３の中に連通している通路５２が連通するように設置され、前記通路５２の右壁の中にはエアポンプ５３が設置される。
【００１６】
初期状態において、広がり板１２が主体１１に最大限度で近づき、昇降板３１が下限位置に位置しており、砂が昇降板３１の上方に貯蔵され、制御ロッド４２が下限位置に位置しており、この時、主動スパーギヤ４５が右スパーギヤ４６と噛み合っており、バルブ板５０がバルブチャンバ４９を閉鎖している。
【００１７】
使用する時、本装置を空地に移動させ、動力モータ４４が起動されて主動スパーギヤ４５を連動させて回転させ、ギヤの噛み合いにより右スパーギヤ４６を連動させて回転させ、また右側のプーリ１６を連動させて回転させ、伝動ベルト１７により四つの側のプーリ１６を連動させて同期に回転させ、回転軸１８により主動ベベルギヤ２０を連動させて回転させ、ギヤの噛み合いにより従動ベベルギヤ２１を連動させて回転させ、また移動ネジロッド２３を連動させて回転させ、ネジ山による連結を通じて主動スライダ２４を連動させて互いに近づかせ、ヒンジロッド２５により広がり板１２と回転ロッド２６とを連動させて左右方向の中心から離れ、またエアクッション１３を連動させて広げ、制御モータ４０を制御して起動し、これにより制御ネジロッド４１を連動させて回転させ、ネジ山による連結を通じて制御ロッド４２を連動させて中間位置まで上昇させ、またコンロッド４８によりバルブ板５０を連動させて抜き孔５１が通路５２と連通するまで上昇させ、この時、エアポンプ５３が起動されてエアクッション１３に空気を入れ、制御モータ４０が継続して起動されて制御ロッド４２を連動させて主動スパーギヤ４５が制御チャンバ３９と噛み合うまで上昇させ、この時、バルブ板５０が上昇して通路５２を閉鎖し、動力モータ４４が起動されて左スパーギヤ３８と昇降ネジロッド３６とを連動させて回転させ、ネジ山による連結を通じて支持ロッド３２を連動させて上昇させ、また昇降板３１とカバー板３３とを連動させて上昇させ、これにより砂が貯蔵チャンバ３０の開口からエアクッション１３に流れ、これにより子供が砂遊びをすることができ、そしてカバー板３３が初期位置まで下降する。
【００１８】
本発明の有益効果は：本発明は構成が簡単で、操作が便利で、本装置により砂とエアクッションをちゃんと貯蔵でき、自動的に収納することや空気を入れることもでき、本装置を空地に置けば自動的に完成でき、使用が非常に便利である。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【手続補正書】
【提出日】令和1年8月9日(2019.8.9)
【手続補正１】
【補正対象書類名】特許請求の範囲
【補正対象項目名】全文
【補正方法】変更
【補正の内容】
【特許請求の範囲】
【請求項１】
主体を含み、前記主体の中において前後左右の四つの側には広がり板が排列するように設置され、前記広がり板の互いに近接している一端が互いに当接でき、前記主体と前記広がり板との間にはエアクッションが設置され、前記エアクッションの内側が前記主体の四面に固定され、前記エアクッションの外側がそれぞれ前記広がり板のうち左右方向の中心に近接している一端に固定され、前記主体と前記広がり板との間には伸縮装置が設置され、前記主体の中には貯蔵装置が設置され、前記貯蔵装置の下側には制御装置が設置され、前記主体の下端面の中には下方に開口したローラチャンバが二つ設置され、二つの前記ローラチャンバが左右に対称しており、前記ローラチャンバの中にはローラが前後対称的に、且つ回転できるように設置されることを特徴とする敷き広げて使用するおもちゃ砂場。
【請求項２】
前記伸縮装置は前記主体の中に設置されているプーリチャンバを含み、前記プーリチャンバの中において前後左右の四つの側にはプーリが排列するように設置され、前記プーリの間には伝動ベルトが巻きつくように設置され、前記プーリの下端には回転軸が固定的に設置され、前記プーリの下側にはベベルギヤチャンバが設置され、前記回転軸の下端が前記ベベルギヤチャンバの中に伸びており、且つ前記回転軸の下端には主動ベベルギヤが固定的に設置され、前記主動ベベルギヤの一端には前記主動ベベルギヤと噛み合っている従動ベベルギヤが設置され、前記ベベルギヤチャンバの両側には開口の方向が左右方向の中心から離れている主動スライドチャンバが対称的に設置され、前記主動スライドチャンバの中には前記従動ベベルギヤに固定的に連結されている移動ネジロッドがスライド自在に設置され、前記主動スライドチャンバの中には前記移動ネジロッドにネジ山により連結されている主動スライダがスライド自在に設置され、前記主動スライダにおいて左右方向の中心から離れている一端には一個のヒンジロッドがヒンジにより連結され、前記ヒンジロッドにおいて前記主動スライダから離れている一端にはまた一個のヒンジロッドがヒンジにより連結され、前記ヒンジロッドが交わるところには回転ロッドが回転できるように連結され、前記ヒンジロッドの上端が前記エアクッションの下端に固定的に連結され、前記広がり板の中には従動スライドチャンバが設置され、前記従動スライドチャンバの中には二つの従動スライダがスライド自在に設置され、二つの前記従動スライダの間が互いに対称しており、前記従動スライダのうち左右方向の中心に近接している一端には固定ロッドが固定的に設置され、第二組の前記ヒンジロッドのうち左右方向の中心から離れている一端が前記固定ロッドにヒンジにより連結され、
前記ヒンジロッドが広がって前記広がり板と前記回転ロッドとを連動させて前記エアクッションを敷き広げることを特徴とする請求項１に記載の敷き広げて使用するおもちゃ砂場。
【請求項３】
前記貯蔵装置は、前記主体の中に設置され、且つ上へ開口した貯蔵チャンバを含み、前記貯蔵チャンバの中には昇降板がスライド自在に設置され、前記昇降板の上端面の中間には支持ロッドが固定的に設置され、前記支持ロッドの上端にはカバー板が固定的に設置され、前記貯蔵チャンバの四壁の中には加温ブロックが固定的に設置され、前記支持ロッドの中にはネジ山チャンバが設置され、前記ネジ山チャンバの中には昇降ネジロッドがネジ山により連結され、前記貯蔵チャンバの下側にはスパーギヤチャンバが設置され、前記昇降ネジロッドの下端が前記スパーギヤチャンバの中に伸びており、且つ前記昇降ネジロッドの下端には左スパーギヤが固定的に連結され、
前記昇降板が砂を上昇連動させて流出させ、前記加温ブロックが砂を高温で消毒することを特徴とする請求項１に記載の敷き広げて使用するおもちゃ砂場。
【請求項４】
前記制御装置は前記スパーギヤチャンバの下側に設置されている制御チャンバを含み、前記制御チャンバの上壁の中には制御モータが固定的に設置され、前記制御モータの下端には制御ネジロッドが伝動できるように連結され、前記制御チャンバの中には前記制御ネジロッドにネジ山により連結されている制御ロッドがスライド自在に設置され、前記制御チャンバの右側には前記制御チャンバの右側に連通している噛み合いチャンバが連通するように設置され、前記制御ロッドの右端が前記噛み合いチャンバの中に伸びており、且つ前記制御ロッドの右端には動力モータが固定的に設置され、前記動力モータの上端には主動スパーギヤが伝動できるように連結され、前記主動スパーギヤの右端には右側の前記プーリに伝動できるように連結されている右スパーギヤが噛み合って設置され、前記制御チャンバの左側にはコンロッドチャンバが連通するように設置され、前記制御ロッドの左端には前記コンロッドチャンバにスライドできるように連結されているコンロッドが固定的に設置され、前記コンロッドチャンバの左側にはバルブチャンバが連通するように設置され、前記バルブチャンバの中にはバルブ板がスライド自在に設置され、前記バルブ板の中には抜き孔が左右対称的に設置され、前記バルブチャンバの左右壁には前記エアクッションの中に連通している通路が連通するように設置され、前記通路の右壁の中にはエアポンプが設置されることを特徴とする請求項１に記載の敷き広げて使用するおもちゃ砂場。
【手続補正２】
【補正対象書類名】明細書
【補正対象項目名】全文
【補正方法】変更
【補正の内容】
【発明の詳細な説明】
【技術分野】
【０００１】
本発明は玩具技術分野を取り上げて、具体的には敷き広げて使用するおもちゃ砂場である。
【背景技術】
【０００２】
多くの子供が砂遊びが好きで、砂が子供の実行能力を鍛えることができ、しかし、砂の中に細菌が多いので、野外の砂を遊ぶことができなく、遊園地に砂遊びをする場所があり、例えば砂が敷かれた大きいエアクッション等、しかし、エアクッションと砂を収納する時に人工で操作しなければならなく、しかも砂が長時間使用された後で砂に多い細菌が繁殖し、そのため、敷き広げて使用するおもちゃ砂場が必要となり、本装置は砂を貯蔵でき、使用しない時に高温で消毒し、使用する時にエアクッションを自動的に収納でき、とても便利である。
【先行技術文献】
【特許文献】
【０００３】
【特許文献１】中国特許出願公開第１０８０９６８５３号明細書
【発明の概要】
【発明が解決しようとする課題】
【０００４】
本発明は敷き広げて使用するおもちゃ砂場を提供し、従来技術における上記欠点を解消することを目的とする。
【課題を解決するための手段】
【０００５】
本発明の実施例の敷き広げて使用するおもちゃ砂場は、主体を含み、前記主体の中において前後左右の四つの側には広がり板が排列するように設置され、前記広がり板の互いに近接している一端が互いに当接でき、前記主体と前記広がり板との間にはエアクッションが設置され、前記エアクッションの内側が前記主体の四面に固定され、前記エアクッションの外側がそれぞれ前記広がり板のうち左右方向の中心に近接している一端に固定され、前記主体と前記広がり板との間には伸縮装置が設置され、前記主体の中には貯蔵装置が設置され、前記貯蔵装置の下側には制御装置が設置され、前記主体の下端面の中には下方に開口したローラチャンバが二つ設置され、二つの前記ローラチャンバが左右に対称しており、前記ローラチャンバの中にはローラが前後対称的に、且つ回転できるように設置される。
【０００６】
更の技術プランとしては、前記伸縮装置は前記主体の中に設置されているプーリチャンバを含み、前記プーリチャンバの中において前後左右の四つの側にはプーリが排列するように設置され、前記プーリの間には伝動ベルトが巻きつくように設置され、前記プーリの下端には回転軸が固定的に設置され、前記プーリの下側にはベベルギヤチャンバが設置され、前記回転軸の下端が前記ベベルギヤチャンバの中に伸びており、且つ前記回転軸の下端には主動ベベルギヤが固定的に設置され、前記主動ベベルギヤの一端には前記主動ベベルギヤと噛み合っている従動ベベルギヤが設置され、前記ベベルギヤチャンバの両側には開口の方向が左右方向の中心から離れている主動スライドチャンバが対称的に設置され、前記主動スライドチャンバの中には前記従動ベベルギヤに固定的に連結されている移動ネジロッドがスライド自在に設置され、前記主動スライドチャンバの中には前記移動ネジロッドにネジ山により連結されている主動スライダがスライド自在に設置され、前記主動スライダにおいて左右方向の中心から離れている一端には一個のヒンジロッドがヒンジにより連結され、前記ヒンジロッドにおいて前記主動スライダから離れている一端にはまた一個のヒンジロッドがヒンジにより連結され、前記ヒンジロッドが交わるところには回転ロッドが回転できるように連結され、前記ヒンジロッドの上端が前記エアクッションの下端に固定的に連結され、前記広がり板の中には従動スライドチャンバが設置され、前記従動スライドチャンバの中には二つの従動スライダがスライド自在に設置され、二つの前記従動スライダの間が互いに対称しており、前記従動スライダのうち左右方向の中心に近接している一端には固定ロッドが固定的に設置され、第二組の前記ヒンジロッドのうち左右方向の中心から離れている一端が前記固定ロッドにヒンジにより連結され、
前記ヒンジロッドが広がって前記広がり板と前記回転ロッドとを連動させて前記エアクッションを敷き広げる。
【０００７】
更の技術プランとしては、前記貯蔵装置は、前記主体の中に設置され、且つ上へ開口した貯蔵チャンバを含み、前記貯蔵チャンバの中には昇降板がスライド自在に設置され、前記昇降板の上端面の中間には支持ロッドが固定的に設置され、前記支持ロッドの上端にはカバー板が固定的に設置され、前記貯蔵チャンバの四壁の中には加温ブロックが固定的に設置され、前記支持ロッドの中にはネジ山チャンバが設置され、前記ネジ山チャンバの中には昇降ネジロッドがネジ山により連結され、前記貯蔵チャンバの下側にはスパーギヤチャンバが設置され、前記昇降ネジロッドの下端が前記スパーギヤチャンバの中に伸びており、且つ前記昇降ネジロッドの下端には左スパーギヤが固定的に連結され、
前記昇降板が砂を上昇連動させて流出させ、前記加温ブロックが砂を高温で消毒する。
【０００８】
更の技術プランとしては、前記制御装置は前記スパーギヤチャンバの下側に設置されている制御チャンバを含み、前記制御チャンバの上壁の中には制御モータが固定的に設置され、前記制御モータの下端には制御ネジロッドが伝動できるように連結され、前記制御チャンバの中には前記制御ネジロッドにネジ山により連結されている制御ロッドがスライド自在に設置され、前記制御チャンバの右側には前記制御チャンバの右側に連通している噛み合いチャンバが連通するように設置され、前記制御ロッドの右端が前記噛み合いチャンバの中に伸びており、且つ前記制御ロッドの右端には動力モータが固定的に設置され、前記動力モータの上端には主動スパーギヤが伝動できるように連結され、前記主動スパーギヤの右端には右側の前記プーリに伝動できるように連結されている右スパーギヤが噛み合って設置され、前記制御チャンバの左側にはコンロッドチャンバが連通するように設置され、前記制御ロッドの左端には前記コンロッドチャンバにスライドできるように連結されているコンロッドが固定的に設置され、前記コンロッドチャンバの左側にはバルブチャンバが連通するように設置され、前記バルブチャンバの中にはバルブ板がスライド自在に設置され、前記バルブ板の中には抜き孔が左右対称的に設置され、前記バルブチャンバの左右壁には前記エアクッションの中に連通している通路が連通するように設置され、前記通路の右壁の中にはエアポンプが設置される。
【発明の効果】
【０００９】
本発明の有益効果は：本発明は構成が簡単で、操作が便利で、本装置により砂とエアクッションをちゃんと貯蔵でき、自動的に収納することや空気を入れることもでき、本装置を空地に置けば自動的に完成でき、使用が非常に便利である。
【図面の簡単な説明】
【００１０】
【図１】図１は本発明の敷き広げて使用するおもちゃ砂場の内部全体構成模式図
【図２】図２は図１の中の「Ａ−Ａ」方向の構成模式図
【図３】図３は図１の中の「Ｂ−Ｂ」方向の構成模式図
【図４】図４は図１の中の「Ｃ」の拡大模式図
【発明を実施するための形態】
【００１１】
以下に図１〜４を交えて本発明について詳しく説明する。便利に叙述するために、後文に出る方位を下記の通りに規定する：後文に出る上下左右前後方向は図１本体の投影関係の上下左右前後方向と一致する。
【００１２】
図１〜４を参照し、本発明の実施例の敷き広げて使用するおもちゃ砂場は、主体１１を含み、前記主体１１の中において前後左右の四つの側には広がり板１２が排列するように設置され、前記広がり板１２の互いに近接している一端が互いに当接でき、前記主体１１と前記広がり板１２との間にはエアクッション１３が設置され、前記エアクッション１３の内側が前記主体１１の四面に固定され、前記エアクッション１３の外側がそれぞれ前記広がり板１２のうち左右方向の中心に近接している一端に固定され、前記主体１１と前記広がり板１２との間には伸縮装置１０１が設置され、前記主体１１の中には貯蔵装置１０２が設置され、前記貯蔵装置１０２の下側には制御装置１０３が設置され、前記主体１１の下端面の中には下方に開口したローラチャンバ６０が二つ設置され、二つの前記ローラチャンバ６０が左右に対称しており、前記ローラチャンバ６０の中にはローラ１４が前後対称的に、且つ回転できるように設置される。
【００１３】
有益的には、前記伸縮装置１０１は前記主体１１の中に設置されているプーリチャンバ１５を含み、前記プーリチャンバ１５の中において前後左右の四つの側にはプーリ１６が排列するように設置され、前記プーリ１６の間には伝動ベルト１７が巻きつくように設置され、前記プーリ１６の下端には回転軸１８が固定的に設置され、前記プーリ１６の下側にはベベルギヤチャンバ１９が設置され、前記回転軸１８の下端が前記ベベルギヤチャンバ１９の中に伸びており、且つ前記回転軸１８の下端には主動ベベルギヤ２０が固定的に設置され、前記主動ベベルギヤ２０の一端には前記主動ベベルギヤ２０と噛み合っている従動ベベルギヤ２１が設置され、前記ベベルギヤチャンバ１９の両側には開口の方向が左右方向の中心から離れている主動スライドチャンバ２２が対称的に設置され、前記主動スライドチャンバ２２の中には前記従動ベベルギヤ２１に固定的に連結されている移動ネジロッド２３がスライド自在に設置され、前記主動スライドチャンバ２２の中には前記移動ネジロッド２３にネジ山により連結されている主動スライダ２４がスライド自在に設置され、前記主動スライダ２４において左右方向の中心から離れている一端には一個のヒンジロッド２５がヒンジにより連結され、前記ヒンジロッド２５において前記主動スライダ２４から離れている一端にはまた一個のヒンジロッド２５がヒンジにより連結され、前記ヒンジロッド２５が交わるところには回転ロッド２６が回転できるように連結され、前記ヒンジロッド２５の上端が前記エアクッション１３の下端に固定的に連結され、前記広がり板１２の中には従動スライドチャンバ２７が設置され、前記従動スライドチャンバ２７の中には二つの従動スライダ２８がスライド自在に設置され、二つの前記従動スライダ２８の間が互いに対称しており、前記従動スライダ２８のうち左右方向の中心に近接している一端には固定ロッド２９が固定的に設置され、第二組の前記ヒンジロッド２５のうち左右方向の中心から離れている一端が前記固定ロッド２９にヒンジにより連結され、
前記ヒンジロッド２５が広がって前記広がり板１２と前記回転ロッド２６とを連動させて前記エアクッション１３を敷き広げる。
【００１４】
有益的には、前記貯蔵装置１０２は、前記主体１１の中に設置され、且つ上へ開口した貯蔵チャンバ３０を含み、前記貯蔵チャンバ３０の中には昇降板３１がスライド自在に設置され、前記昇降板３１の上端面の中間には支持ロッド３２が固定的に設置され、前記支持ロッド３２の上端にはカバー板３３が固定的に設置され、前記貯蔵チャンバ３０の四壁の中には加温ブロック３４が固定的に設置され、前記支持ロッド３２の中にはネジ山チャンバ３５が設置され、前記ネジ山チャンバ３５の中には昇降ネジロッド３６がネジ山により連結され、前記貯蔵チャンバ３０の下側にはスパーギヤチャンバ３７が設置され、前記昇降ネジロッド３６の下端が前記スパーギヤチャンバ３７の中に伸びており、且つ前記昇降ネジロッド３６の下端には左スパーギヤ３８が固定的に連結され、
前記昇降板３１が砂を上昇連動させて流出させ、前記加温ブロック３４が砂を高温で消毒する。
【００１５】
有益的には、前記制御装置１０３は前記スパーギヤチャンバ３７の下側に設置されている制御チャンバ３９を含み、前記制御チャンバ３９の上壁の中には制御モータ４０が固定的に設置され、前記制御モータ４０の下端には制御ネジロッド４１が伝動できるように連結され、前記制御チャンバ３９の中には前記制御ネジロッド４１にネジ山により連結されている制御ロッド４２がスライド自在に設置され、前記制御チャンバ３９の右側には前記制御チャンバ３９の右側に連通している噛み合いチャンバ４３が連通するように設置され、前記制御ロッド４２の右端が前記噛み合いチャンバ４３の中に伸びており、且つ前記制御ロッド４２の右端には動力モータ４４が固定的に設置され、前記動力モータ４４の上端には主動スパーギヤ４５が伝動できるように連結され、前記主動スパーギヤ４５の右端には右側の前記プーリ１６に伝動できるように連結されている右スパーギヤ４６が噛み合って設置され、前記制御チャンバ３９の左側にはコンロッドチャンバ４７が連通するように設置され、前記制御ロッド４２の左端には前記コンロッドチャンバ４７にスライドできるように連結されているコンロッド４８が固定的に設置され、前記コンロッドチャンバ４７の左側にはバルブチャンバ４９が連通するように設置され、前記バルブチャンバ４９の中にはバルブ板５０がスライド自在に設置され、前記バルブ板５０の中には抜き孔５１が左右対称的に設置され、前記バルブチャンバ４９の左右壁には前記エアクッション１３の中に連通している通路５２が連通するように設置され、前記通路５２の右壁の中にはエアポンプ５３が設置される。
【００１６】
初期状態において、広がり板１２が主体１１に最大限度で近づき、昇降板３１が下限位置に位置しており、砂が昇降板３１の上方に貯蔵され、制御ロッド４２が下限位置に位置しており、この時、主動スパーギヤ４５が右スパーギヤ４６と噛み合っており、バルブ板５０がバルブチャンバ４９を閉鎖している。
【００１７】
使用する時、本装置を空地に移動させ、動力モータ４４が起動されて主動スパーギヤ４５を連動させて回転させ、ギヤの噛み合いにより右スパーギヤ４６を連動させて回転させ、また右側のプーリ１６を連動させて回転させ、伝動ベルト１７により四つの側のプーリ１６を連動させて同期に回転させ、回転軸１８により主動ベベルギヤ２０を連動させて回転させ、ギヤの噛み合いにより従動ベベルギヤ２１を連動させて回転させ、また移動ネジロッド２３を連動させて回転させ、ネジ山による連結を通じて主動スライダ２４を連動させて互いに近づかせ、ヒンジロッド２５により広がり板１２と回転ロッド２６とを連動させて左右方向の中心から離れ、またエアクッション１３を連動させて広げ、制御モータ４０を制御して起動し、これにより制御ネジロッド４１を連動させて回転させ、ネジ山による連結を通じて制御ロッド４２を連動させて中間位置まで上昇させ、またコンロッド４８によりバルブ板５０を連動させて抜き孔５１が通路５２と連通するまで上昇させ、この時、エアポンプ５３が起動されてエアクッション１３に空気を入れ、制御モータ４０が継続して起動されて制御ロッド４２を連動させて主動スパーギヤ４５が制御チャンバ３９と噛み合うまで上昇させ、この時、バルブ板５０が上昇して通路５２を閉鎖し、動力モータ４４が起動されて左スパーギヤ３８と昇降ネジロッド３６とを連動させて回転させ、ネジ山による連結を通じて支持ロッド３２を連動させて上昇させ、また昇降板３１とカバー板３３とを連動させて上昇させ、これにより砂が貯蔵チャンバ３０の開口からエアクッション１３に流れ、これにより子供が砂遊びをすることができ、そしてカバー板３３が初期位置まで下降する。
【００１８】
本発明の有益効果は：本発明は構成が簡単で、操作が便利で、本装置により砂とエアクッションをちゃんと貯蔵でき、自動的に収納することや空気を入れることもでき、本装置を空地に置けば自動的に完成でき、使用が非常に便利である。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【手続補正書】
【提出日】令和1年8月9日(2019.8.9)
【手続補正１】
【補正対象書類名】特許請求の範囲
【補正対象項目名】全文
【補正方法】変更
【補正の内容】
【特許請求の範囲】
【請求項１】
主体を含み、前記主体の中において前後左右の四つの側には広がり板が排列するように設置され、前記広がり板の互いに近接している一端が互いに当接でき、前記主体と前記広がり板との間にはエアクッションが設置され、前記エアクッションの内側が前記主体の四面に固定され、前記エアクッションの外側がそれぞれ前記広がり板のうち左右方向の中心に近接している一端に固定され、前記主体と前記広がり板との間には伸縮装置が設置され、前記主体の中には貯蔵装置が設置され、前記貯蔵装置の下側には制御装置が設置され、前記主体の下端面の中には下方に開口したローラチャンバが二つ設置され、二つの前記ローラチャンバが左右に対称しており、前記ローラチャンバの中にはローラが前後対称的に、且つ回転できるように設置されることを特徴とする敷き広げて使用するおもちゃ砂場。
【請求項２】
前記伸縮装置は前記主体の中に設置されているプーリチャンバを含み、前記プーリチャンバの中において前後左右の四つの側にはプーリが排列するように設置され、前記プーリの間には伝動ベルトが巻きつくように設置され、前記プーリの下端には回転軸が固定的に設置され、前記プーリの下側にはベベルギヤチャンバが設置され、前記回転軸の下端が前記ベベルギヤチャンバの中に伸びており、且つ前記回転軸の下端には主動ベベルギヤが固定的に設置され、前記主動ベベルギヤの一端には前記主動ベベルギヤと噛み合っている従動ベベルギヤが設置され、前記ベベルギヤチャンバの両側には開口の方向が左右方向の中心から離れている主動スライドチャンバが対称的に設置され、前記主動スライドチャンバの中には前記従動ベベルギヤに固定的に連結されている移動ネジロッドがスライド自在に設置され、前記主動スライドチャンバの中には前記移動ネジロッドにネジ山により連結されている主動スライダがスライド自在に設置され、前記主動スライダにおいて左右方向の中心から離れている一端にはヒンジロッドがヒンジにより連結され、前記ヒンジロッドが交わるところには回転ロッドが回転できるように連結され、前記ヒンジロッドの上端が前記エアクッションの下端に固定的に連結され、前記広がり板の中には従動スライドチャンバが設置され、前記従動スライドチャンバの中には二つの従動スライダがスライド自在に設置され、前記従動スライダのうち左右方向の中心に近接している一端には固定ロッドが固定的に設置され、前記ヒンジロッドのうち左右方向の中心から離れている一端が前記固定ロッドにヒンジにより連結され、
前記ヒンジロッドが広がって前記広がり板と前記回転ロッドとを連動させて前記エアクッションを敷き広げることを特徴とする請求項１に記載の敷き広げて使用するおもちゃ砂場。
【請求項３】
前記貯蔵装置は、前記主体の中に設置され、且つ上へ開口した貯蔵チャンバを含み、前記貯蔵チャンバの中には昇降板がスライド自在に設置され、前記昇降板の上端面の中間には支持ロッドが固定的に設置され、前記支持ロッドの上端にはカバー板が固定的に設置され、前記貯蔵チャンバの四壁の中には加温ブロックが固定的に設置され、前記支持ロッドの中にはネジ山チャンバが設置され、前記ネジ山チャンバの中には昇降ネジロッドがネジ山により連結され、前記貯蔵チャンバの下側にはスパーギヤチャンバが設置され、前記昇降ネジロッドの下端が前記スパーギヤチャンバの中に伸びており、且つ前記昇降ネジロッドの下端には左スパーギヤが固定的に連結され、
前記昇降板が砂を上昇連動させて流出させ、前記加温ブロックが砂を高温で消毒することを特徴とする請求項１に記載の敷き広げて使用するおもちゃ砂場。
【請求項４】
前記制御装置は前記スパーギヤチャンバの下側に設置されている制御チャンバを含み、前記制御チャンバの上壁の中には制御モータが固定的に設置され、前記制御モータの下端には制御ネジロッドが伝動できるように連結され、前記制御チャンバの中には前記制御ネジロッドにネジ山により連結されている制御ロッドがスライド自在に設置され、前記制御チャンバの右側には前記制御チャンバの右側に連通している噛み合いチャンバが連通するように設置され、前記制御ロッドの右端が前記噛み合いチャンバの中に伸びており、且つ前記制御ロッドの右端には動力モータが固定的に設置され、前記動力モータの上端には主動スパーギヤが伝動できるように連結され、前記主動スパーギヤの右端には右側の前記プーリに伝動できるように連結されている右スパーギヤが噛み合って設置され、前記制御チャンバの左側にはコンロッドチャンバが連通するように設置され、前記制御ロッドの左端には前記コンロッドチャンバにスライドできるように連結されているコンロッドが固定的に設置され、前記コンロッドチャンバの左側にはバルブチャンバが連通するように設置され、前記バルブチャンバの中にはバルブ板がスライド自在に設置され、前記バルブ板の中には抜き孔が左右対称的に設置され、前記バルブチャンバの左右壁には前記エアクッションの中に連通している通路が連通するように設置され、前記通路の右壁の中にはエアポンプが設置されることを特徴とする請求項１に記載の敷き広げて使用するおもちゃ砂場。
【手続補正２】
【補正対象書類名】明細書
【補正対象項目名】全文
【補正方法】変更
【補正の内容】
【発明の詳細な説明】
【技術分野】
【０００１】
本発明は玩具技術分野を取り上げて、具体的には敷き広げて使用するおもちゃ砂場である。
【背景技術】
【０００２】
多くの子供が砂遊びが好きで、砂が子供の実行能力を鍛えることができ、しかし、砂の中に細菌が多いので、野外の砂を遊ぶことができなく、遊園地に砂遊びをする場所があり、例えば砂が敷かれた大きいエアクッション等、しかし、エアクッションと砂を収納する時に人工で操作しなければならなく、しかも砂が長時間使用された後で砂に多い細菌が繁殖し、そのため、敷き広げて使用するおもちゃ砂場が必要となり、本装置は砂を貯蔵でき、使用しない時に高温で消毒し、使用する時にエアクッションを自動的に収納でき、とても便利である。
【先行技術文献】
【特許文献】
【０００３】
【特許文献１】中国特許出願公開第１０８０９６８５３号明細書
【発明の概要】
【発明が解決しようとする課題】
【０００４】
本発明は敷き広げて使用するおもちゃ砂場を提供し、従来技術における上記欠点を解消することを目的とする。
【課題を解決するための手段】
【０００５】
本発明の実施例の敷き広げて使用するおもちゃ砂場は、主体を含み、前記主体の中において前後左右の四つの側には広がり板が排列するように設置され、前記広がり板の互いに近接している一端が互いに当接でき、前記主体と前記広がり板との間にはエアクッションが設置され、前記エアクッションの内側が前記主体の四面に固定され、前記エアクッションの外側がそれぞれ前記広がり板のうち左右方向の中心に近接している一端に固定され、前記主体と前記広がり板との間には伸縮装置が設置され、前記主体の中には貯蔵装置が設置され、前記貯蔵装置の下側には制御装置が設置され、前記主体の下端面の中には下方に開口したローラチャンバが二つ設置され、二つの前記ローラチャンバが左右に対称しており、前記ローラチャンバの中にはローラが前後対称的に、且つ回転できるように設置される。
【０００６】
更の技術プランとしては、前記伸縮装置は前記主体の中に設置されているプーリチャンバを含み、前記プーリチャンバの中において前後左右の四つの側にはプーリが排列するように設置され、前記プーリの間には伝動ベルトが巻きつくように設置され、前記プーリの下端には回転軸が固定的に設置され、前記プーリの下側にはベベルギヤチャンバが設置され、前記回転軸の下端が前記ベベルギヤチャンバの中に伸びており、且つ前記回転軸の下端には主動ベベルギヤが固定的に設置され、前記主動ベベルギヤの一端には前記主動ベベルギヤと噛み合っている従動ベベルギヤが設置され、前記ベベルギヤチャンバの両側には開口の方向が左右方向の中心から離れている主動スライドチャンバが対称的に設置され、前記主動スライドチャンバの中には前記従動ベベルギヤに固定的に連結されている移動ネジロッドがスライド自在に設置され、前記主動スライドチャンバの中には前記移動ネジロッドにネジ山により連結されている主動スライダがスライド自在に設置され、前記主動スライダにおいて左右方向の中心から離れている一端にはヒンジロッドがヒンジにより連結され、前記ヒンジロッドが交わるところには回転ロッドが回転できるように連結され、前記ヒンジロッドの上端が前記エアクッションの下端に固定的に連結され、前記広がり板の中には従動スライドチャンバが設置され、前記従動スライドチャンバの中には二つの従動スライダがスライド自在に設置され、前記従動スライダのうち左右方向の中心に近接している一端には固定ロッドが固定的に設置され、前記ヒンジロッドのうち左右方向の中心から離れている一端が前記固定ロッドにヒンジにより連結され、
前記ヒンジロッドが広がって前記広がり板と前記回転ロッドとを連動させて前記エアクッションを敷き広げる。
【０００７】
更の技術プランとしては、前記貯蔵装置は、前記主体の中に設置され、且つ上へ開口した貯蔵チャンバを含み、前記貯蔵チャンバの中には昇降板がスライド自在に設置され、前記昇降板の上端面の中間には支持ロッドが固定的に設置され、前記支持ロッドの上端にはカバー板が固定的に設置され、前記貯蔵チャンバの四壁の中には加温ブロックが固定的に設置され、前記支持ロッドの中にはネジ山チャンバが設置され、前記ネジ山チャンバの中には昇降ネジロッドがネジ山により連結され、前記貯蔵チャンバの下側にはスパーギヤチャンバが設置され、前記昇降ネジロッドの下端が前記スパーギヤチャンバの中に伸びており、且つ前記昇降ネジロッドの下端には左スパーギヤが固定的に連結され、
前記昇降板が砂を上昇連動させて流出させ、前記加温ブロックが砂を高温で消毒する。
【０００８】
更の技術プランとしては、前記制御装置は前記スパーギヤチャンバの下側に設置されている制御チャンバを含み、前記制御チャンバの上壁の中には制御モータが固定的に設置され、前記制御モータの下端には制御ネジロッドが伝動できるように連結され、前記制御チャンバの中には前記制御ネジロッドにネジ山により連結されている制御ロッドがスライド自在に設置され、前記制御チャンバの右側には前記制御チャンバの右側に連通している噛み合いチャンバが連通するように設置され、前記制御ロッドの右端が前記噛み合いチャンバの中に伸びており、且つ前記制御ロッドの右端には動力モータが固定的に設置され、前記動力モータの上端には主動スパーギヤが伝動できるように連結され、前記主動スパーギヤの右端には右側の前記プーリに伝動できるように連結されている右スパーギヤが噛み合って設置され、前記制御チャンバの左側にはコンロッドチャンバが連通するように設置され、前記制御ロッドの左端には前記コンロッドチャンバにスライドできるように連結されているコンロッドが固定的に設置され、前記コンロッドチャンバの左側にはバルブチャンバが連通するように設置され、前記バルブチャンバの中にはバルブ板がスライド自在に設置され、前記バルブ板の中には抜き孔が左右対称的に設置され、前記バルブチャンバの左右壁には前記エアクッションの中に連通している通路が連通するように設置され、前記通路の右壁の中にはエアポンプが設置される。
【発明の効果】
【０００９】
本発明の有益効果は：本発明は構成が簡単で、操作が便利で、本装置により砂とエアクッションをちゃんと貯蔵でき、自動的に収納することや空気を入れることもでき、本装置を空地に置けば自動的に完成でき、使用が非常に便利である。
【図面の簡単な説明】
【００１０】
【図１】図１は本発明の敷き広げて使用するおもちゃ砂場の内部全体構成模式図
【図２】図２は図１の中の「Ａ−Ａ」方向の構成模式図
【図３】図３は図１の中の「Ｂ−Ｂ」方向の構成模式図
【図４】図４は図１の中の「Ｃ」の拡大模式図
【発明を実施するための形態】
【００１１】
以下に図１〜４を交えて本発明について詳しく説明する。便利に叙述するために、後文に出る方位を下記の通りに規定する：後文に出る上下左右前後方向は図１本体の投影関係の上下左右前後方向と一致する。
【００１２】
図１〜４を参照し、本発明の実施例の敷き広げて使用するおもちゃ砂場は、主体１１を含み、前記主体１１の中において前後左右の四つの側には広がり板１２が排列するように設置され、前記広がり板１２の互いに近接している一端が互いに当接でき、前記主体１１と前記広がり板１２との間にはエアクッション１３が設置され、前記エアクッション１３の内側が前記主体１１の四面に固定され、前記エアクッション１３の外側がそれぞれ前記広がり板１２のうち左右方向の中心に近接している一端に固定され、前記主体１１と前記広がり板１２との間には伸縮装置１０１が設置され、前記主体１１の中には貯蔵装置１０２が設置され、前記貯蔵装置１０２の下側には制御装置１０３が設置され、前記主体１１の下端面の中には下方に開口したローラチャンバ６０が二つ設置され、二つの前記ローラチャンバ６０が左右に対称しており、前記ローラチャンバ６０の中にはローラ１４が前後対称的に、且つ回転できるように設置される。
【００１３】
有益的には、前記伸縮装置１０１は前記主体１１の中に設置されているプーリチャンバ１５を含み、前記プーリチャンバ１５の中において前後左右の四つの側にはプーリ１６が排列するように設置され、前記プーリ１６の間には伝動ベルト１７が巻きつくように設置され、前記プーリ１６の下端には回転軸１８が固定的に設置され、前記プーリ１６の下側にはベベルギヤチャンバ１９が設置され、前記回転軸１８の下端が前記ベベルギヤチャンバ１９の中に伸びており、且つ前記回転軸１８の下端には主動ベベルギヤ２０が固定的に設置され、前記主動ベベルギヤ２０の一端には前記主動ベベルギヤ２０と噛み合っている従動ベベルギヤ２１が設置され、前記ベベルギヤチャンバ１９の両側には開口の方向が左右方向の中心から離れている主動スライドチャンバ２２が対称的に設置され、前記主動スライドチャンバ２２の中には前記従動ベベルギヤ２１に固定的に連結されている移動ネジロッド２３がスライド自在に設置され、前記主動スライドチャンバ２２の中には前記移動ネジロッド２３にネジ山により連結されている主動スライダ２４がスライド自在に設置され、前記主動スライダ２４において左右方向の中心から離れている一端にはヒンジロッド２５がヒンジにより連結され、前記ヒンジロッド２５が交わるところには回転ロッド２６が回転できるように連結され、前記ヒンジロッド２５の上端が前記エアクッション１３の下端に固定的に連結され、前記広がり板１２の中には従動スライドチャンバ２７が設置され、前記従動スライドチャンバ２７の中には二つの従動スライダ２８がスライド自在に設置され、前記従動スライダ２８のうち左右方向の中心に近接している一端には固定ロッド２９が固定的に設置され、前記ヒンジロッド２５のうち左右方向の中心から離れている一端が前記固定ロッド２９にヒンジにより連結され、
前記ヒンジロッド２５が広がって前記広がり板１２と前記回転ロッド２６とを連動させて前記エアクッション１３を敷き広げる。
【００１４】
有益的には、前記貯蔵装置１０２は、前記主体１１の中に設置され、且つ上へ開口した貯蔵チャンバ３０を含み、前記貯蔵チャンバ３０の中には昇降板３１がスライド自在に設置され、前記昇降板３１の上端面の中間には支持ロッド３２が固定的に設置され、前記支持ロッド３２の上端にはカバー板３３が固定的に設置され、前記貯蔵チャンバ３０の四壁の中には加温ブロック３４が固定的に設置され、前記支持ロッド３２の中にはネジ山チャンバ３５が設置され、前記ネジ山チャンバ３５の中には昇降ネジロッド３６がネジ山により連結され、前記貯蔵チャンバ３０の下側にはスパーギヤチャンバ３７が設置され、前記昇降ネジロッド３６の下端が前記スパーギヤチャンバ３７の中に伸びており、且つ前記昇降ネジロッド３６の下端には左スパーギヤ３８が固定的に連結され、
前記昇降板３１が砂を上昇連動させて流出させ、前記加温ブロック３４が砂を高温で消毒する。
【００１５】
有益的には、前記制御装置１０３は前記スパーギヤチャンバ３７の下側に設置されている制御チャンバ３９を含み、前記制御チャンバ３９の上壁の中には制御モータ４０が固定的に設置され、前記制御モータ４０の下端には制御ネジロッド４１が伝動できるように連結され、前記制御チャンバ３９の中には前記制御ネジロッド４１にネジ山により連結されている制御ロッド４２がスライド自在に設置され、前記制御チャンバ３９の右側には前記制御チャンバ３９の右側に連通している噛み合いチャンバ４３が連通するように設置され、前記制御ロッド４２の右端が前記噛み合いチャンバ４３の中に伸びており、且つ前記制御ロッド４２の右端には動力モータ４４が固定的に設置され、前記動力モータ４４の上端には主動スパーギヤ４５が伝動できるように連結され、前記主動スパーギヤ４５の右端には右側の前記プーリ１６に伝動できるように連結されている右スパーギヤ４６が噛み合って設置され、前記制御チャンバ３９の左側にはコンロッドチャンバ４７が連通するように設置され、前記制御ロッド４２の左端には前記コンロッドチャンバ４７にスライドできるように連結されているコンロッド４８が固定的に設置され、前記コンロッドチャンバ４７の左側にはバルブチャンバ４９が連通するように設置され、前記バルブチャンバ４９の中にはバルブ板５０がスライド自在に設置され、前記バルブ板５０の中には抜き孔５１が左右対称的に設置され、前記バルブチャンバ４９の左右壁には前記エアクッション１３の中に連通している通路５２が連通するように設置され、前記通路５２の右壁の中にはエアポンプ５３が設置される。
【００１６】
初期状態において、広がり板１２が主体１１に最大限度で近づき、昇降板３１が下限位置に位置しており、砂が昇降板３１の上方に貯蔵され、制御ロッド４２が下限位置に位置しており、この時、主動スパーギヤ４５が右スパーギヤ４６と噛み合っており、バルブ板５０がバルブチャンバ４９を閉鎖している。
【００１７】
使用する時、本装置を空地に移動させ、動力モータ４４が起動されて主動スパーギヤ４５を連動させて回転させ、ギヤの噛み合いにより右スパーギヤ４６を連動させて回転させ、また右側のプーリ１６を連動させて回転させ、伝動ベルト１７により四つの側のプーリ１６を連動させて同期に回転させ、回転軸１８により主動ベベルギヤ２０を連動させて回転させ、ギヤの噛み合いにより従動ベベルギヤ２１を連動させて回転させ、また移動ネジロッド２３を連動させて回転させ、ネジ山による連結を通じて主動スライダ２４を連動させて互いに近づかせ、ヒンジロッド２５により広がり板１２と回転ロッド２６とを連動させて左右方向の中心から離れ、またエアクッション１３を連動させて広げ、制御モータ４０を制御して起動し、これにより制御ネジロッド４１を連動させて回転させ、ネジ山による連結を通じて制御ロッド４２を連動させて中間位置まで上昇させ、またコンロッド４８によりバルブ板５０を連動させて抜き孔５１が通路５２と連通するまで上昇させ、この時、エアポンプ５３が起動されてエアクッション１３に空気を入れ、制御モータ４０が継続して起動されて制御ロッド４２を連動させて主動スパーギヤ４５が制御チャンバ３９と噛み合うまで上昇させ、この時、バルブ板５０が上昇して通路５２を閉鎖し、動力モータ４４が起動されて左スパーギヤ３８と昇降ネジロッド３６とを連動させて回転させ、ネジ山による連結を通じて支持ロッド３２を連動させて上昇させ、また昇降板３１とカバー板３３とを連動させて上昇させ、これにより砂が貯蔵チャンバ３０の開口からエアクッション１３に流れ、これにより子供が砂遊びをすることができ、そしてカバー板３３が初期位置まで下降する。
【００１８】
本発明の有益効果は：本発明は構成が簡単で、操作が便利で、本装置により砂とエアクッションをちゃんと貯蔵でき、自動的に収納することや空気を入れることもでき、本装置を空地に置けば自動的に完成でき、使用が非常に便利である。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。